【手続補正書】
【提出日】平成24年12月17日(2012.12.17)
【手続補正１】
【補正対象書類名】明細書
【補正対象項目名】発明の名称
【補正方法】変更
【補正の内容】
【発明の名称】画角中心ズレ補正装置、撮像装置、画角中心ズレ補正方法及びプログラム
【手続補正２】
【補正対象書類名】明細書
【補正対象項目名】０００１
【補正方法】変更
【補正の内容】
【０００１】
本発明は、沈胴式のズームレンズユニットを備えたデジタルカメラにおいて、光軸のズレに起因する画角のズレを補正する画角中心ズレ補正装置、撮像装置、画角中心ズレ補正方法及びプログラムに関する。
【手続補正３】
【補正対象書類名】明細書
【補正対象項目名】００１０
【補正方法】変更
【補正の内容】
【００１０】
本発明は、上記従来の課題に鑑みてなされたものであり、沈胴式のズームレンズユニットを備えたデジタルカメラにおいて、光軸のズレに起因する画角のズレを補正する画角中心ズレ補正装置、撮像装置、画角中心ズレ補正方法及びプログラムを提供することを目的とする。
【手続補正４】
【補正対象書類名】明細書
【補正対象項目名】００１１
【補正方法】変更
【補正の内容】
【００１１】
請求項１記載の発明による画角中心ズレ補正装置は、ズームレンズユニットの光軸のズレをズーム倍率に応じて補正する光軸補正手段と、前記ズームレンズユニットのズーム倍率が変化した場合に、その変化時の撮影状況に応じて前記光軸補正手段によるズーム倍率に応じた光軸のズレ補正を行うか否かを判断する判断手段と、を備えたことを特徴とする。
請求項２記載の発明は、更に、前記判断手段は、前記ズームレンズユニットの光軸が固定された撮影状況である場合に前記光軸補正手段によるズーム倍率に応じた光軸のズレ補正を行うと判断し、そうでない場合に前記光軸補正手段によるズーム倍率に応じた光軸のズレ補正を行わないと判断することを特徴とする。
請求項３記載の発明は、更に、前記判断手段は、前記ズームレンズユニットの光軸が固定された撮影状況であり、かつ、動画撮影または連写撮影である場合に前記光軸補正手段によるズーム倍率に応じた光軸のズレ補正を行うと判断することを特徴とする請求項２に記載の画角中心ズレ補正装置。
請求項４記載の発明による撮像装置は、請求項１乃至３のいずれかに記載の画角中心ズレ補正装置を備え、光軸に沿って配置された複数のレンズを含む沈胴式の前記ズームレンズユニットと、前記ズームレンズユニットを介して撮像素子により画像を撮像する撮像手段と、ズーム倍率を設定するズーム倍率設定手段と、前記ズーム倍率設定手段により設定されたズーム倍率に基づいて、前記各レンズを移動させるズーム手段と、前記撮像素子を光軸に対して移動させる移動手段と、手ブレを検出する手ブレ検出手段と、前記手ブレ検出手段により検出された手ブレの量に応じて前記移動手段により前記撮像素子を移動させることで被写体像の手ブレを補正する手ブレ補正手段と、を更に備え、前記光軸補正手段は、前記移動手段により前記撮像素子を所定の方向に移動させて前記光軸のズレを補正し、前記判断手段は、前記ズームレンズユニットの光軸が固定された撮影状況でない場合に前記移動手段を前記手ブレ補正手段による手ブレ量に応じた手ブレ補正に利用すると判断し、前記ズームレンズユニットの光軸が固定された撮影状況である場合に前記移動手段を前記光軸補正手段によるズーム倍率に応じた光軸のズレ補正に利用すると判断することを特徴とする。
請求項５記載の発明は、更に、前記判断手段は、手ブレ補正モードが設定されている場合に前記移動手段を前記手ブレ補正手段による手ブレ量に応じた手ブレ補正に利用すると判断することを特徴とする。
請求項６記載の発明は、更に、撮像装置本体を固定した状態で遠隔操作で前記ズーム倍率設定手段のズーム倍率を変更しながら撮影を行う監視モードを設定する監視モード設定手段を備え、前記判断手段は、前記監視モードが設定されている場合に、前記ズームレンズユニットの光軸が固定された撮影状況であり、前記移動手段を前記光軸補正手段によるズーム倍率に応じた光軸のズレ補正に利用すると判断することを特徴とする。
請求項７記載の発明は、更に、前記ズーム倍率設定手段により設定されるズーム倍率と、前記ズーム倍率に応じた補正量との関係を示す関係データを記憶する関係データ記憶手段と、前記関係データ記憶手段に記憶されている関係データに基づいて、前記光軸補正手段が前記ズーム補正動作を行う際の補正量を決定する補正量決定手段と、を備えることを特徴とする。
請求項８記載の発明は、更に、前記関係データ記憶手段に記憶されている前記ズーム倍率と、前記補正量との関係を示す前記関係データを手動又は自動により変更する変更手段を備えることを特徴とする。
請求項９記載の発明は、更に、前記関係データを決定する自動決定モードを設定する決定モード設定手段を備え、前記決定モード設定手段により前記自動決定モードが設定された場合に、前記ズーム倍率設定手段により設定されるズーム倍率を変更しながら、前記撮像手段により前記複数のレンズを介して前記撮像素子により画像を複数回撮像し、前記ズーム倍率毎に前記撮像手段により撮像された前記画像のズレ量を画像解析によって検出するズレ量検出手段と、前記ズレ量検出手段により検出された前記ズレ量に基づいて、前記ズーム倍率に応じた前記補正量との関係を示す前記関係データを決定する関係データ決定手段と、を備えることを特徴とする。
請求項１０記載の発明は、更に、前記ズームレンズユニットを介して撮像素子により画像が撮像される場合に、前記光軸補正手段は、前記撮像素子を移動する速度を、撮像手段が連続して画像を撮像する速度に応じて決定することを特徴とする。
請求項１１記載の発明は、更に、前記光軸補正手段は、前記撮像素子を移動する速度を、撮像手段が連続して画像を撮像する速度に応じて決定することを特徴とする。
請求項１２記載の発明は、更に、前記関係データ記憶手段に記憶されている前記関係データを電源投入時に自動設定する電源投入時設定手段を備えることを特徴とする。
請求項１３記載の発明の画角中心ズレ補正方法は、ズームレンズユニットの光軸のズレを補正するズレ補正方法であって、前記ズームレンズユニットの光軸のズレをズーム倍率に応じて補正する光軸補正処理と、前記ズームレンズユニットのズーム倍率が変化した場合に、その変化時の撮影状況に応じて前記光軸補正処理によるズーム倍率に応じた光軸のズレ補正を行うか否かを判断する判断処理と、を含むことを特徴とする。
請求項１４記載の発明のプログラムは、ズームレンズユニットを備えた撮像装置を、前記ズームレンズユニットの光軸のズレをズーム倍率に応じて補正する光軸補正手段と、前記ズームレンズユニットのズーム倍率が変化した場合に、その変化時の撮影状況に応じて前記光軸補正手段によるズーム倍率に応じた光軸のズレ補正を行うか否かを判断する判断手段と、して機能させることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
ズームレンズユニットの光軸のズレをズーム倍率に応じて補正する光軸補正手段と、
前記ズームレンズユニットのズーム倍率が変化した場合に、その変化時の撮影状況に応じて前記光軸補正手段によるズーム倍率に応じた光軸のズレ補正を行うか否かを判断する判断手段と、
を備えたことを特徴とする画角中心ズレ補正装置。
【請求項２】
前記判断手段は、前記ズームレンズユニットの光軸が固定された撮影状況である場合に前記光軸補正手段によるズーム倍率に応じた光軸のズレ補正を行うと判断し、そうでない場合に前記光軸補正手段によるズーム倍率に応じた光軸のズレ補正を行わないと判断することを特徴とする請求項１に記載の画角中心ズレ補正装置。
【請求項３】
前記判断手段は、前記ズームレンズユニットの光軸が固定された撮影状況であり、かつ、動画撮影または連写撮影である場合に前記光軸補正手段によるズーム倍率に応じた光軸のズレ補正を行うと判断することを特徴とする請求項２に記載の画角中心ズレ補正装置。
【請求項４】
請求項１乃至３のいずれかに記載の画角中心ズレ補正装置を備えた撮像装置であって、
光軸に沿って配置された複数のレンズを含む沈胴式の前記ズームレンズユニットと、
前記ズームレンズユニットを介して撮像素子により画像を撮像する撮像手段と、
ズーム倍率を設定するズーム倍率設定手段と、
前記ズーム倍率設定手段により設定されたズーム倍率に基づいて、前記各レンズを移動させるズーム手段と、
前記撮像素子を光軸に対して移動させる移動手段と、
手ブレを検出する手ブレ検出手段と、
前記手ブレ検出手段により検出された手ブレの量に応じて前記移動手段により前記撮像素子を移動させることで被写体像の手ブレを補正する手ブレ補正手段と、
を更に備え、
前記光軸補正手段は、前記移動手段により前記撮像素子を所定の方向に移動させて前記光軸のズレを補正し、
前記判断手段は、前記ズームレンズユニットの光軸が固定された撮影状況でない場合に前記移動手段を前記手ブレ補正手段による手ブレ量に応じた手ブレ補正に利用すると判断し、前記ズームレンズユニットの光軸が固定された撮影状況である場合に前記移動手段を前記光軸補正手段によるズーム倍率に応じた光軸のズレ補正に利用すると判断することを特徴とする撮像装置。
【請求項５】
前記判断手段は、手ブレ補正モードが設定されている場合に前記移動手段を前記手ブレ補正手段による手ブレ量に応じた手ブレ補正に利用すると判断することを特徴とする請求項４に記載の撮像装置。
【請求項６】
撮像装置本体を固定した状態で遠隔操作で前記ズーム倍率設定手段のズーム倍率を変更しながら撮影を行う監視モードを設定する監視モード設定手段を備え、
前記判断手段は、前記監視モードが設定されている場合に、前記ズームレンズユニットの光軸が固定された撮影状況であり、前記移動手段を前記光軸補正手段によるズーム倍率に応じた光軸のズレ補正に利用すると判断することを特徴とする請求項４または５に記載の撮像装置。
【請求項７】
前記ズーム倍率設定手段により設定されるズーム倍率と、前記ズーム倍率に応じた補正量との関係を示す関係データを記憶する関係データ記憶手段と、
前記関係データ記憶手段に記憶されている関係データに基づいて、前記光軸補正手段が前記ズーム補正動作を行う際の補正量を決定する補正量決定手段と、を備えることを特徴とする請求項４乃至６のいずれかに記載の撮像装置。
【請求項８】
前記関係データ記憶手段に記憶されている前記ズーム倍率と、前記補正量との関係を示す前記関係データを手動又は自動により変更する変更手段を備えることを特徴とする請求項７に記載の撮像装置。
【請求項９】
前記関係データを決定する自動決定モードを設定する決定モード設定手段を備え、
前記決定モード設定手段により前記自動決定モードが設定された場合に、前記ズーム倍率設定手段により設定されるズーム倍率を変更しながら、前記撮像手段により前記複数のレンズを介して前記撮像素子により画像を複数回撮像し、前記ズーム倍率毎に前記撮像手段により撮像された前記画像のズレ量を画像解析によって検出するズレ量検出手段と、
前記ズレ量検出手段により検出された前記ズレ量に基づいて、前記ズーム倍率に応じた前記補正量との関係を示す前記関係データを決定する関係データ決定手段と、を備えることを特徴とする請求項７または８に記載の撮像装置。
【請求項１０】
前記ズームレンズユニットを介して撮像素子により画像が撮像される場合に、
前記光軸補正手段は、前記撮像素子を移動する速度を、撮像手段が連続して画像を撮像する速度に応じて決定することを特徴とする請求項１乃至３のいずれかに記載の画角中心ズレ補正装置。
【請求項１１】
前記光軸補正手段は、前記撮像素子を移動する速度を、撮像手段が連続して画像を撮像する速度に応じて決定することを特徴とする請求項４乃至９のいずれかに記載の撮像装置。
【請求項１２】
前記関係データ記憶手段に記憶されている前記関係データを電源投入時に自動設定する電源投入時設定手段を備えることを特徴とする請求項７または８に記載の撮像装置。
【請求項１３】
ズームレンズユニットの光軸のズレを補正する画角中心ズレ補正方法であって、
前記ズームレンズユニットの光軸のズレをズーム倍率に応じて補正する光軸補正処理と、
前記ズームレンズユニットのズーム倍率が変化した場合に、その変化時の撮影状況に応じて前記光軸補正処理によるズーム倍率に応じた光軸のズレ補正を行うか否かを判断する判断処理と、
を含むことを特徴とする画角中心ズレ補正方法。
【請求項１４】
ズームレンズユニットを備えた撮像装置を、
前記ズームレンズユニットの光軸のズレをズーム倍率に応じて補正する光軸補正手段と、
前記ズームレンズユニットのズーム倍率が変化した場合に、その変化時の撮影状況に応じて前記光軸補正手段によるズーム倍率に応じた光軸のズレ補正を行うか否かを判断する判断手段と、
して機能させることを特徴とするプログラム。